(57)【要約】      （修正有）【課題】就寝時には防災用に使用することができ、就寝時以外には机として使用することができ、かつ健康補助に役立つ健康補助器具を提供する。【解決手段】健康補助器具１は、天板２１と、第１および第２の側板とを有する机と、第１および第２のフレーム部材３１、３２と、連結部材３３とを有し、第１および第２の側板のそれぞれに回動可能に取付けられたフレームと、第１および第２のフレーム部材３１、３２を回動可能に支持する第１および第２の回動軸部４１、４２とを備えている。フレームは、第１および第２の回動軸部４１、４２により支持され、連結部材３３が天板２１の上方に配置された第１の状態と、第１および第２のフレーム部材３１、３２のそれぞれの他端部および第１および第２の回動軸部４１、４２により支持された第２の状態とに回動可能に設けられている。【選択図】図１
0003176011.tif 000002
【実用新案登録請求の範囲】
【請求項１】
家屋の室内において前記家屋の第１および第２の柱に取付けられる耐震補強家具であって、
前記第１および第２の柱を繋ぐように取付けられる平面部と前記平面部から前記第１および第２の柱と反対方向に突出する突出部とをそれぞれ有する第１および第２の水平部材と、
前記第１および第２の水平部材の前記平面部を繋ぐように取付けられる斜材と、
前記第１の水平部材の両端部において前記第１の水平部材の前記平面部から前記第１および第２の柱と反対方向に突出するように前記第１の水平部材の前記突出部に固定される第１および第２の取付部材と、
前記第２の水平部材の両端部において前記第２の水平部材の前記平面部から前記第１および第２の柱と反対方向に突出するように前記第２の水平部材の前記突出部に固定される第３および第４の取付部材と、
前記第１および第２の水平部材の一端部に配置され、同じ側に位置する前記第１および第３の取付部材に取付けられる第１の側板と、
前記第１および第２の水平部材の他端部に配置され、同じ側に位置する前記第２および第４の取付部材に取付けられる第２の側板と、
前記第１および第２の側板の下端に高さ位置を調整可能にそれぞれ取付けられ、かつ前記第１および第２の側板のそれぞれの中央よりも前記第１および第２の柱と反対側に配置される第１および第２の支持部とを備えた、耐震補強家具。
【請求項２】
前記第１および第２の水平部材の前記平面部ならびに前記斜材よりも前記第１および第２の柱と反対側に配置され、前記第１および第２の水平部材の前記平面部ならびに前記斜材を覆うシート部材をさらに備えた、請求項１に記載の耐震補強家具。
【請求項３】
前記第１および第２の側板の間に取付けられる棚板をさらに備えた、請求項１または２に記載の耐震補強家具。
【考案の詳細な説明】
【技術分野】
【０００１】
本考案は耐震補強家具に関し、特に、家屋の室内において家屋の柱に取付けられる耐震補強家具に関するものである。
【背景技術】
【０００２】
従来、家屋を耐震補強するための様々な構造が提案されている。たとえば特開平５−３３１９２８号公報（特許文献１）には家屋の柱の間に収納された耐力壁が提案されている。この耐力壁は収容部を有しており収容部を物入れとして使用することができる。
【先行技術文献】
【特許文献】
【０００３】
【特許文献１】特開平５−３３１９２８号公報
【考案の概要】
【考案が解決しようとする課題】
【０００４】
しかし、上記公報に記載された耐力壁は、家屋の柱の間に収納された壁であるため、家屋に取付けることは容易でない。
【０００５】
本考案は上記課題を鑑みてなされたものであり、その目的は、耐震補強することができ、収納空間を形成することができ、かつ家屋の室内に容易に取付けられる耐震補強家具を提供することである。
【課題を解決するための手段】
【０００６】
本考案の耐震補強家具は、家屋の室内において家屋の第１および第２の柱に取付けられる耐震補強家具であって、第１および第２の柱を繋ぐように取付けられる平面部と平面部から第１および第２の柱と反対方向に突出する突出部とをそれぞれ有する第１および第２の水平部材と、第１および第２の水平部材の平面部を繋ぐように取付けられる斜材と、第１の水平部材の両端部において第１の水平部材の平面部から第１および第２の柱と反対方向に突出するように第１の水平部材の突出部に固定される第１および第２の取付部材と、第２の水平部材の両端部において第２の水平部材の平面部から第１および第２の柱と反対方向に突出するように第２の水平部材の突出部に固定される第３および第４の取付部材と、第１および第２の水平部材の一端部に配置され、同じ側に位置する第１および第３の取付部材に取付けられる第１の側板と、第１および第２の水平部材の他端部に配置され、同じ側に位置する第２および第４の取付部材に取付けられる第２の側板と、第１および第２の側板の下端に高さ位置を調整可能にそれぞれ取付けられ、かつ第１および第２の側板のそれぞれの中央よりも第１および第２の柱と反対側に配置される第１および第２の支持部とを備えている。
【０００７】
本考案の耐震補強家具によれば、家屋の室内において家屋の第１および第２の柱を繋ぐように第１および第２の水平部材の平面部が取付けられ、平面部を繋ぐように斜材が取付けられているため家屋を耐震補強することができる。
【０００８】
また第１および第２の水平部材の突出部と、第１および第３の取付部材に取付けられる第１の側板と、第２および第４の取付部材に取付けられる第２の側板とによって収納空間を形成することができる。
【０００９】
さらに耐震補強家具は家屋の室内において家屋の第１および第２の柱に取付けられるため家屋の室内に容易に取付けられる。また第１および第２の側板の下端に高さ位置を調整可能な支持部が取付けられるため第１および第２の側板の高さ位置を容易に調整することができる。これにより耐震補強家具は家屋の室内に容易に取付けられる。
【００１０】
上記の耐震補強家具では、好ましくは、第１および第２の水平部材の平面部ならびに斜材よりも第１および第２の柱と反対側に配置され、第１および第２の水平部材の平面部ならびに斜材を覆うシート部材をさらに備えている。これにより、室内から見て第１および第２の水平部材の平面部と斜材とがシート部材で覆われるため、すっきりした外観となる。このため耐震補強家具の美観を向上することができる。
【００１１】
上記の耐震補強家具では、好ましくは、第１および第２の側板との間に取付けられる棚板をさらに備えている。これにより、耐震補強家具を棚として使用することができる。
【考案の効果】
【００１２】
以上説明したように、本考案の耐震補強家具によれば、耐震補強することができ、収納空間を形成することができ、かつ容易に取付けることができる。
【図面の簡単な説明】
【００１３】
【図１】本考案の一実施の形態の耐震補強家具の概略斜視図である。
【図２】本考案の一実施の形態の耐震補強家具の概略正面図である。
【図３】本考案の一実施の形態の耐震補強家具の概略側面図である。
【図４】本考案の一実施の形態の耐震補強家具の変形例の概略正面図である。
【図５】本考案の一実施の形態の耐震補強家具の変形例の概略側面図である。
【考案を実施するための形態】
【００１４】
以下、本考案の実施の形態について図に基づいて説明する。
最初に本考案の一実施の形態の耐震補強家具の構成について説明する。
【００１５】
図１〜図３を参照して、本実施の形態の耐震補強家具１は、家屋１００の室内ＩＳにおいて家屋１００の第１および第２の柱１０１、１０２に取付けられるものである。第１および第２の柱１０１と１０２との間には壁１０３が設けられており、壁１０３の下には床１０４が設けられている。
【００１６】
耐震補強家具１は、第１および第２の水平部材１１、１２と、斜材２０と、第１〜第４の取付部材３１〜３４と、第１および第２の側板４１、４２と、第１および第２の支持部５１、５２と、天板６０と、シート部材７０と、棚板７１と、カーテンレール７２と、ハンガーバー７３、７４と、カーテン７５とを主に有している。なお図１および図２の図中右側では見やすくするためシート部材７０が図示されていない。また、図１ではカーテン７５は一部のみ図示されている。
【００１７】
第１および第２の水平部材１１、１２はそれぞれ平面部１１ａ、１２ａと突出部１１ｂ、１２ｂとを有している。第１および第２の水平部材１１、１２のそれぞれの平面部１１ａ、１２ａは第１および第２の柱１０１、１０２を繋ぐように取付けられている。第１および第２の水平部材１１、１２のそれぞれの突出部１１ｂ、１２ｂは平面部１１ａ、１２ａから第１および第２の柱１０１、１０２と反対方向に突出するよう設けられている。第１の水平部材１１は耐震補強家具１の上部に配置されており、第２の水平部材１２は耐震補強家具１の下部に配置されている。第１および第２の水平部材１１、１２はそれぞれ両端部の幅が中央部の幅より大きくなるよう形成されている。第１および第２の水平部材１１、１２はそれぞれ両端部においてねじ９０によって平面部１１ａ、１２ａで第１および第２の柱１０１、１０２に取付けられている。
【００１８】
斜材２０は第１および第２の水平部材１１、１２の平面部１１ａ、１２ａを繋ぐように取付けられている。斜材２０は第１および第２の斜材２１、２２を有している。第１の斜材２１は第１の水平部材１１の一端部の平面部１１ａと第２の水平部材１２の他端部の平面部１２ａとを繋ぐように斜めに設けられている。第２の斜材２２は第１の水平部材１１の他端部の平面部１１ａと第２の水平部材１２の一端部の平面部１２ａとを繋ぐように斜めに設けられている。斜材２０は第１および第２の水平部材１１、１２の平面部１１ａ、１２ａから第１および第２の柱１０１、１０２と反対方向に配置されている。斜材２０と第１および第２の水平部材１１、１２の平面部１１ａ、１２ａとはそれぞれボルトによって固定されている。
【００１９】
第１および第２の取付部材３１、３２は第１の水平部材１１の両端部において第１の水平部材１１の平面部１１ａから第１および第２の柱１０１、１０２と反対方向に突出するように第１の水平部材１１の突出部１１ｂに固定されている。第１の取付部材３１は第１の水平部材１１の一端部に配置されており、第２の取付部材３２は第１の水平部材１１の他端部に配置されている。第１および第２の取付部材３１、３２と第１の水平部材１１の突出部１１ｂとはそれぞれボルトによって固定されている。
【００２０】
第３および第４の取付部材３３、３４は第２の水平部材１２の両端部において第２の水平部材１２の平面部１２ａから第１および第２の柱１０１、１０２と反対方向に突出するように第２の水平部材１２の突出部１２ｂに固定されている。第３の取付部材３３は第２の水平部材１２の一端部に配置されており、第４の取付部材３４は第２の水平部材１２の他端部に配置されている。第３および第４の取付部材３３、３４と第２の水平部材１２の突出部１２ｂとはそれぞれボルトによって固定されている。第１〜第４の取付部材３１〜３４はそれぞれ中央部で略直角に湾曲しており、中央部を挟んで一方部３１ａ〜３４ａと他方部３１ｂ〜３４ｂとを有している。第１〜第４の取付部材３１〜３４のそれぞれの一方部３１ａ〜３４ａが第１および第２の水平部材１１、１２の突出部１２ａ、１２ｂに取付けられている。
【００２１】
第１の側板４１は第１および第２の水平部材１１、１２の一端部に配置され、同じ側に位置する第１および第３の取付部材３１、３３に取付けられている。第２の側板４２は第１および第２の水平部材１１、１２の他端部に配置され、同じ側に位置する第２および第４の取付部材３２、３４に取付けられている。第１および第２の側板４１、４２は第１〜第４の取付部材３１〜３４のそれぞれの他方部３１ｂ〜３４ｂにボルトによって取付けられている。第１および第２の水平部材１１、１２の突出部１１ｂ、１２ｂと第１および第２の側板４１、４２とによって囲まれた収納空間ＳＳが形成されている。
【００２２】
第１および第２の支持部５１、５２は、第１および第２の側板４１、４２の下端に高さ位置を調整可能にそれぞれ取付けられている。第１および第２の支持部５１、５２にはアジャスタボルトが適用され得る。つまり第１および第２の支持部５１、５２は第１および第２の側板４１、４２の下端に回転可能に挿入されている。第１および第２の支持部５１、５２はそれぞれの外周面にねじが形成されており、周方向に回転されることによって第１および第２の側板４１、４２の下端から突出する長さ寸法を調整可能に構成されている。これにより、第１および第２の支持部５１、５２は高さ位置を調整可能に構成されている。また、第１および第２の支持部５１、５２は第１および第２の側板４１、４２のそれぞれの中央よりも第１および第２の柱１０１、１０２と反対側に配置されている。
【００２３】
天板６０は、第１の水平部材１１の上方に配置されている。天板６０の両端部に第１および第２の側板４１、４２が配置されている。天板６０は第１の水平部材１１の突出部１１ｂよりも大きな幅寸法を有している。シート部材７０は第１および第２の水平部材１１、１２の平面部１１ａ、１２ｂならびに斜材２０よりも第１および第２の柱１０１、１０２と反対側に配置されている。シート部材７０は、第１および第２の水平部材１１、１２の平面部１１ａ、１２ａならびに斜材２０を覆うように設けられている。
【００２４】
棚板７１は第１および第２の側板４１、４２の間に取付けられている。棚板７１は第３および第４の取付部材３３、３４に取付けられている。第１および第２の側板４１、４２の内壁を繋ぐようにカーテンレール７２が取付けられている。また第１および第２の側板４１、４２の内壁を繋ぐようにハンガーバー７３、７４が取付けられている。カーテンレール７２にはカーテン７５が開閉可能に取付けられている。以上説明した耐震補強家具１はクローゼットとして使用され得る。
【００２５】
また本実施の形態の耐震補強家具１は、上記の構成に限定されず、本棚として使用されてもよい。図４および図５を参照して、本実施の形態の耐震補強家具１の変形例では第１の側板４１と第２の側板４２との間に複数の棚板８０を有している。複数の棚板８０は第１および第２の側壁４１、４２の内壁に取付けられた複数の棚板支持部材８１に支持されている。複数の棚板８０は第１および第２の側板４１、４２の内壁を繋ぐように設けられている。本実施の形態の耐震補強家具１の変形例は複数の棚板８０に本を収納することで本棚として使用され得る。
【００２６】
次に本実施の形態の耐震補強家具１の取付方法について説明する。
家屋１００の室内ＩＳにおいて家屋１００の第１の柱１０１および第２の柱１０２の表面に第１の水平部材１１の平面部１１ａがねじ９０で取付けられる。第１の水平部材１１は床１０４から規定寸法の位置に床１０４と平行となるように第１および第２の柱１０１、１０２に固定される。斜材２０が第１の水平部材１１の平面部１１ａと第２の水平部材１２の平面部１２ａとにボルトで仮止めされ、斜材２０が規定の位置に取付けられるよう調整される。斜材２０が規定の位置に取付けられるよう調整された状態で第２の水平部材１２の平面部１２ａが第１の柱１０１および第２の柱１０２の表面にねじ９０で取付けられる。
【００２７】
斜材２０が第１および第２の水平部材１１、１２の平面部１１ａ、１２ａにボルトで固定される。第１および第２の取付部材３１、３２の一方部３１ａ、３２ａが第１の水平部材１１の両端部の突出部１１ｂにボルトで固定され、第３および第４の取付部材３３、３４の一方部３３ａ、３４ａが第２の水平部材１２の両端部の突出部１２ｂにボルトで固定される。棚板７１が第３および第４の取付部材３３、３４に取付けられる。第１の側板４１が第１および第３の取付部材３１、３３の他方部３１ｂ、３３ｂにボルトで固定され、第２の側板４２が第２および第４の取付部材３２、３４の他方部３２ｂ、３４ｂにボルトで固定される。第１の側板４１の高さが第１の支持部５１の高さを調整することによって調整され、第２の側板４２の高さが第２の支持部５２の高さを調整することによって調整される。第１および第２の支持部５１、５２は床１０４と当接するように高さが調整される。
【００２８】
第１および第２の水平部材１１、１２の平面部１１ａ、１２ａおよび斜材２０を覆うようにシート部材７０が取付けられる。カーテンレール７２、ハンガーバー７３、７４があらかじめ設けられた治具に取付けられる。カーテンレール７２にカーテン７５が取付けられる。このようにして、本実施の形態の耐震補強家具１が組み立てられるとともに第１および第２の柱１０１、１０２に取付けられる。本実施の形態の耐震補強家具１は既存の壁１０３を撤去することなく取付け可能であるため、撤去および復旧作業が不要である。また本実施の形態の耐震補強家具１は組み立て式のため組み立ておよび取付けに高度な技術が必要とされない。
【００２９】
なお、上記の本実施の形態の耐震補強家具１の変形例では、シート部材７０が取付けられた後に、第１および第２の側壁４１、４２の内壁に取付けられた棚板支持部材８１に複数の棚板８０が取付けられる。
【００３０】
次に本実施の形態の耐震補強家具１の作用効果について説明する。
本考案の耐震補強家具１によれば、家屋１００の室内ＩＳにおいて家屋１００の第１および第２の柱１０１、１０２を繋ぐように第１および第２の水平部材１１、１２の平面部１１ａ、１１ｂが取付けられ、平面部１１ａ、１１ｂを繋ぐように斜材２０が取付けられているため家屋１００を耐震補強することができる。
【００３１】
また第１および第２の水平部材１１、１２の突出部１１ｂ、１２ｂと、第１および第３の取付部材３１、３３に取付けられる第１の側板４１と、第２および第４の取付部材３２、３４に取付けられる第２の側板４２とによって収納空間ＳＳを形成することができる。
【００３２】
さらに耐震補強家具１は家屋１００の室内ＩＳにおいて家屋１００の第１および第２の柱１０１、１０２に取付けられるため家屋１００の室内ＩＳに容易に取付けられる。また第１および第２の側板４１、４２の下端に高さ位置を調整可能な第１および第２の支持部５１、５２が取付けられるため第１および第２の側板４１、４２の高さ位置を容易に調整することができる。これにより耐震補強家具１は家屋１００の室内ＩＳに容易に取付けられる。
【００３３】
また、第１および第２の支持部５１、５２が第１および第２の側板４１、４２のそれぞれの中央よりも第１および第２の柱１０１、１０２と反対側に配置されるため、第３の取付部材３３と第１の支持部５１によって第１の側板４１がその幅方向の両側で支持され、第４の取付部材３４と第２の支持部５２とによって第２の側板４２がその幅方向の両側で支持される。このため、第１および第２の側板４１、４２はそれぞれ安定して支持される。
【００３４】
本実施の形態の耐震補強家具１では、室内ＩＳから見て第１および第２の水平部材１１、１２の平面部１１ａ、１２ａと斜材２０とがシート部材７０で覆われるため、すっきりした外観となる。このため耐震補強家具１の美観を向上することができる。
【００３５】
本実施の形態の耐震補強家具１では、第１および第２の側板４１、４２との間に取付けられる棚板７１を備えているため、耐震補強家具１を棚として使用することができる。
【００３６】
今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００３７】
本考案は、家屋の室内において家屋の柱に取付けられる耐震補強家具に特に有利に適用され得る。
【符号の説明】
【００３８】
１  耐震補強家具、１１  第１の水平部材、１１ａ，１２ａ  平面部、１１ｂ，１２ｂ  突出部、１２  第２の水平部材、２０  斜材、３１〜３４  第１〜第４の取付部材、４１  第１の側壁、４２  第２の側板、５１  第１の支持部、５２  第２の支持部、６０  天板、７０  シート部材、７１，８０  棚板、８１  棚板支持部材、１００  家屋、１０１  第１の柱、１０２  第２の柱、１０３  壁、１０４  床、ＩＳ  室内、ＳＳ  収納空間。
【図１】
0003176011.tif 000003
【図２】
0003176011.tif 000004
【図３】
0003176011.tif 000005
【図４】
0003176011.tif 000006
【図５】
0003176011.tif 000007